(57)【要約】【課題】突起部を構成している樹脂塊をシート部材から取れにくくすることができる可動接点付きシート、および、これを用いたプッシュスイッチを提供すること。【解決手段】ドーム状の可動接点５をシート部材７が覆っている。可動接点５とシート部材７は粘着されている。可動接点５の頂部と重なって位置するシート部材７の部分に突起部１０が設けられている。この突起部１０は、可動接点５の方向とは反対方向に突出し可動接点５側に底部１１ｂが位置するようシート部材７に形成された凹状の充填部１１と、この充填部１１に充填されて硬化した樹脂塊１２と、充填部１１と樹脂塊１２を係合させる係合手段１４とを有する。係合手段１４は、充填部１１の筒状面１１ｂに形成された溝１４ａと、この溝１４ａ内で硬化した樹脂塊１２の一部である鍔状部１４ｂとから構成され、樹脂塊１２が充填部１１から抜け出るのを阻止する。【選択図】図２
2010257600.tif 000002
【特許請求の範囲】
【請求項１】
ドーム状の可動接点と、この可動接点を覆って位置し前記可動接点が粘着されたシート部材とを有し、前記可動接点の頂部と重なって位置する前記シート部材の部分に、前記可動接点の方向とは反対方向に突起した突起部が設けられた可動接点付きシートであって、
前記突起部は、前記シート部材に形成され前記可動接点の方向に凹んだ充填部と、この充填部に充填されて硬化した樹脂塊と、前記充填部の内面と前記樹脂塊を係合させて、前記樹脂塊が前記充填部から抜け出るのを阻止する係合手段と、を有する
ことを特徴とする可動接点付きシート。
【請求項２】
請求項１に記載の可動接点付きシートにおいて、
前記係合手段は、前記充填部の内面に形成されて前記充填部の凹み方向に交差する方向に凹んだ溝と、この溝内で硬化した樹脂塊の一部とから成っている
ことを特徴とする可動接点付きシート。
【請求項３】
請求項１に記載の可動接点付きシートにおいて、
前記充填部の周囲に位置する前記シート部材の部分と前記可動接点の部分との間に空隙が形成されている
ことを特徴とする可動接点付きシート。
【請求項４】
請求項１〜３のいずれか１項に記載の可動接点付きシートと、基板と、前記基板の一方の面に設けられた固定接点とを有し、
前記可動接点付きシートは、前記可動接点と前記固定接点とが対向して位置した状態で前記基板に貼り付けられている
ことを特徴とするプッシュスイッチ。
【発明の詳細な説明】
【技術分野】
【０００１】
本発明は、携帯電話等の電子機器に実装されるプッシュスイッチであって、シート部材で覆われた可動接点をそのシート部材越しに押圧し弾性変形させることで固定接点に接触させるプッシュスイッチ、および、そのプッシュスイッチの部品である可動接点付きシートに関する。
【背景技術】
【０００２】
この種のプッシュスイッチにおいて、固定接点は基板に設けられている。可動接点は弾性を有するドーム状の部材であり、固定接点を覆って基板上に位置する。この可動接点はシート状のスペーサ部材に包囲されていて、このスペーサ部材は基板に対して固定されている。シート部材は可動接点およびスペーサ部材を覆って位置する。このシート部材には、可動接点の頂部およびスペーサ部材が貼り付けられている。
【０００３】
可動接点が固定接点に接触する際の弾性変形のとき、操作者にはクリック感触が与えられる。そのクリック感触は、可動接点の頂部が押圧されれば鋭く適切な感触として操作者に与えられるが、可動接点が頂部から外れて押圧された場合には鈍い不適切な感触として操作者に与えられたり、クリック感触としては認識されない感触になったりする。そこで、可動接点の頂部と重なって位置するシート部材の部分に、可動接点の方向とは反対方向に突起した突起部を設けて、キーから可動接点に伝達される押圧操作力を可動接点の頂部に集中させるようにしたものがある。
【０００４】
その突起部は樹脂塊から成っている。この樹脂塊は、シート部材に形成された椀状の凹部に紫外線硬化樹脂等の溶融樹脂を盛り付け、硬化させたものである。
【０００５】
この種のプッシュスイッチについては、例えば特許文献１を参照されたい。
【０００６】
なお、この種のプッシュスイッチの作製時には、一方の面に粘着層が設けられたシート部材と、その粘着層によりシート部材に貼り付けられた可動接点とを有し、固定接点および基板を有さない可動接点付きシートが、１つの部品として扱われる。この可動接点付きシートを、固定接点が設けられた基板に貼り付けることによって、可動接点およびスペーサ部材を基板に容易に設けることができる。
【先行技術文献】
【特許文献】
【０００７】
【特許文献１】登実第３０２１１９１号公報
【発明の概要】
【発明が解決しようとする課題】
【０００８】
シート部材越しに可動接点を押し動かすことが繰り返されると、シート部材と樹脂塊との間の接着力が弱まって、樹脂塊が剥がれ取れてしまう。
【０００９】
本発明は前述の事情を考慮してなされたものであり、その目的は、突起部を構成している樹脂塊をシート部材から取れにくくすることができる可動接点付きシートおよびプッシュスイッチを提供することにある。
【課題を解決するための手段】
【００１０】
前述の目的を達成するために本発明は次のように構成されている。
【００１１】
〔１〕  本発明の可動接点付きシートは、ドーム状の可動接点と、この可動接点を覆って位置し前記可動接点が粘着されたシート部材とを有し、前記可動接点の頂部と重なって位置する前記シート部材の部分に、前記可動接点の方向とは反対方向に突起した突起部が設けられた可動接点付きシートであって、前記突起部は、前記シート部材に形成され前記可動接点の方向に凹んだ充填部と、この充填部に充填されて硬化した樹脂塊と、前記充填部の内面と前記樹脂塊を係合させて、前記樹脂塊が前記充填部から抜け出るのを阻止する係合手段と、を有することを特徴とする。
【００１２】
この「〔１〕」に記載された本発明は、係合手段により充填部から樹脂塊が抜け出るのを阻止するので、樹脂塊をシート部材から取れにくくすることができる。
【００１３】
〔２〕  本発明の可動接点付きシートは、「〔１〕」に記載の可動接点付きシートにおいて、前記係合手段は、前記充填部の内面に形成されて前記充填部の凹み方向に対し交差する方向に凹んだ溝と、この溝内で硬化した樹脂塊の一部とから成っていることを特徴とする。
【００１４】
この「〔２〕」に記載された可動接点付きシートは、樹脂塊に充填部から抜け出る方向の力が作用したとき、充填部内面の溝と、この溝内に位置する樹脂塊の一部とが引っ掛かることになり、これによって、充填部から樹脂塊が抜け出るのを阻止できる。
【００１５】
〔３〕  本発明の可動接点付きシートは、「〔１〕」に記載の可動接点付きシートにおいて、前記充填部の周囲に位置する前記シート部材の部分と前記可動接点の部分との間に空隙が形成されていることを特徴とする。
【００１６】
この「〔３〕」に記載された可動接点付きシートにおいては、可動接点が固定接点の方向に凹んだ状態からドーム状に復元する際、シート部材が突っ張って可動接点の円滑な復元の妨げになることを防止できる。
【００１７】
〔４〕  本発明のプッシュスイッチは、「〔１〕」〜「〔３〕」のいずれか１に記載の可動接点付きシートと、基板と、前記基板の一方の面に設けられた固定接点とを有し、前記可動接点付きシートは、前記可動接点と前記固定接点とが対向して位置した状態で前記基板に貼り付けられていることを特徴とする。
【００１８】
この「〔４〕」に記載されたプッシュスイッチによれば、「〔１〕」〜「〔３〕」のいずれか１に記載の可動接点付きシートを有するので、樹脂塊をシート部材から取れにくくすることができる。
【発明の効果】
【００１９】
本発明によれば、前述のように、突起部を構成している樹脂塊をシート部材から取れにくくすることができる。したがって、プッシュスイッチの長寿命化および信頼性の向上に貢献できる。
【図面の簡単な説明】
【００２０】
【図１】本発明の一実施形態に係るプッシュスイッチの断面図である。
【図２】図１に示したプッシュスイッチからキーを省いた断面図である。
【図３】図２に示した状態のプッシュスイッチが複数、平面状に一体化されたものを示す上面図である。
【図４】本発明の一実施形態に係る可動接点付きシートが保管されるときの状態を示す断面図である。
【発明を実施するための形態】
【００２１】
本発明の一実施形態に係るプッシュスイッチおよび可動接点付きシートついて図１〜図４を用いて説明する。
【００２２】
図１に示すように、プッシュスイッチ１は、基板２を有する。この基板２の一方の面には、中央固定接点３と、この中央固定接点３を包囲して位置する環状固定接点４とが設けられている。
【００２３】
中央固定接点３は可動接点５で覆われている。この可動接点５は、ドーム状に形成された金属部材が良導電性材料でメッキされたものであり、中央固定接点３から離れる方向に膨らんだ皿状部５ａと、この皿状部５ａの縁部全体に形成されて、環状固定接点４の方向に末広がり状を成した環状部５ｂとを有する。環状部５ｂは環状固定接点４に接触して位置する。可動接点５は、頂部が凹む弾性変形により、すなわち皿状部５ａが中央固定接点３の方向に膨らんだ状態に反転することにより中央固定接点３に接触し、この結果、中央固定接点３と環状固定接点４とが可動接点５を介して導通する。
【００２４】
可動接点５および環状固定接点４はシート状のスペーサ部材６により包囲されている。スペーサ部材６は、例えば絶縁材料であるＰＥＴ（ポリエチレンテレフタレート）から成形されたものである。このスペーサ部材６には粘着剤が塗布されて形成された粘着層６ａが設けられていて、この粘着層６ａによりスペーサ部材６は基板２に貼り付けられている。可動接点５とスペーサ部材６は、基板２とは反対側の面を、すなわち図１における上側の面をシート部材７により覆われている。このシート部材７は、例えば絶縁材料であるＰＥＴ（ポリエチレンテレフタレート）から成形されて、伸縮性を有する。シート部材７の可動接点５およびスペーサ部材６側の面全体には、粘着剤が塗布されて形成された粘着層７ａが設けられている。可動接点５の頂部は、その粘着層７ａによりシート部材７に貼り付けられている。スペーサ部材６も粘着層７ａによりシート部材７に貼り付けられている。可動接点５がシート部材７に貼り付けられ、スペーサ部材６がシート部材７に貼り付けられた状態で基板２に貼り付けられていることによって、可動接点５は中央固定接点４を覆い環状固定接点４に接触した状態に位置決めされている。
【００２５】
シート部材７は、可動接点５およびスペーサ部材６側とは反対側の面を、シート状のライトガイド部材９により覆われている。シート部材７とライトガイド部材９も粘着剤により貼り付けられている。
【００２６】
可動接点５の頂部と重なって位置するシート部材７の部分には、可動接点５の方向とは反対方向に突起した突起部１０が設けられている。この突起部１０は、シート部材７に形成され可動接点５の方向に凹んだ充填部１１と、この充填部１１に充填されて硬化した樹脂塊１２とを有する。
【００２７】
充填部１１の内面は、充填部１１の凹み方向に対し略平行に広がった内側面１１ａと、凹み方向に対し略直交する方向に平坦に広がって形成された底部１１ｂとから構成され、全体として有底の筒状を成している。
【００２８】
樹脂塊１２は、例えば紫外線硬化樹脂を硬化したものである。この樹脂塊１２の成形の手順としては、まず、充填部１１に紫外線硬化樹脂（溶融樹脂）を充填し、次に、充填部１１に充填された紫外線硬化樹脂に紫外線を照射して硬化させる、という手順が採られる。
【００２９】
突起部１０には、充填部１１の内面と樹脂塊１２とを係合させる係合手段１４が設けられている。この係合手段１４は、充填部１１の内側面１１ａに形成されて充填部１１の凹み方向に交差する方向に凹んだ溝１４ａと、この溝１４ａ内で硬化した樹脂塊１２の一部である鍔状部１４ｂとから成っている。溝１４ａは、開口部１１ｃの縁１１ｄと底部１１ｂとの間の位置に形成されている。溝１４ａを有する充填部１１の成形手順としては、まず、溝１４ａをシート部材７にエンボス加工により成形し、次に、内側面１１ａおよび底部１１ｂをエンボス加工により成形する、という手順が採られた。
【００３０】
可動接点５は、充填部１１の底部１１ｂに対向して位置する頂部と、充填部１１の底部１１ｂの外周側に位置する部分とにおいて、粘着層７ａによりシート部材７に貼り付けられている。これにより、可動接点５が貼り付けられた部分の間において、シート部材７には充填部１１の縁１１ｄから基板２の方向に傾斜した傾斜部８が形成されるようになる。つまり、充填部１１の周囲に位置するシート部材７の部分と可動接点５との間に空隙１３が形成されることとなる。
【００３１】
基板２側と反対側に位置するライトガイド部材９の面に対しては、キー１６（押釦）が対向して位置する。このキー１６と突起部１０は、ライトガイド部材９を挟んで対向して位置する。キー１６は、突起部１０の方向に突出した押し子１６ａを有する。キー１６が矢印Ｐ方向に押圧操作されると、押し子１６ａがライトガイド部材９およびシート部材７を弾性変形させつつ、ライトガイド部材９および突起部１０越しに可動接点５を押圧し、これにより、可動接点５は反転して中央固定接点３に接触する。キー１６に対する押圧操作力が除去されると、ライトガイド部材９およびシート部材７は復元し、可動接点５も反転した状態から復元して中央固定接点３から離れる。
【００３２】
複数のプッシュスイッチ１が携帯電話等の電子機器に平面状に配列されて設けられる場合、それら複数のプッシュスイッチ１は平面状に一体化された状態でその電子機器に設けられるのが一般的である。その一体化においては、可動接点５、中央固定接点３および環状固定接点４を一組とする複数の組が、基板２、シート部材７およびライトガイド部材９を共有する形態が採られる（図３参照）。なお、ライトガイド部材９は端面から受光した光をその内部で導くものであり、上面視において可動接点５を包含する円形の光放射領域１５から光を放つようになっている。図２は図３Ａ−Ａ断面を拡大した図である。
【００３３】
また、シート部材７に可動接点５、スペーサ部材６およびライトガイド部材９が貼り付けられ、スペーサ部材６に粘着層６ａが設けられたもの、すなわち、プッシュスイッチ１から、基板２、中央固定接点３、環状固定接点４、およびキー１６を除いたものは、可動接点付きシート２０を構成している。この可動接点付きシート２０は、プッシュスイッチ１の作製の際に１つの部品として扱われる。可動接点付きシート２０を、中央固定接点３および環状固定接点４が設けられた基板２に貼り付けることによって、スペーサ部材６、ライトガイド部材９および可動接点５を基板２に容易に設けることができる。
【００３４】
図４に示すように、可動接点付きシート２０は基板２に貼り付けられる前、ライトガイド部材９とは反対側の面全体が保護シート部材２１により覆われた状態で保管されている。その保護シート部材２１は粘着層６ａによりスペーサ部材６に貼り付けられている。保護シート部材２１のスペーサ部材６側の面は、プッシュスイッチ１の作製の際、粘着層６ａをスペーサ部材６に残した状態で剥がすことができるよう加工されている。
【００３５】
本実施形態に係るプッシュスイッチ１および可動接点付きシート２０によれば次の効果を得られる。
【００３６】
可動接点付きシート２０およびプッシュスイッチ１は、係合手段１４により充填部１１から樹脂塊１２が抜け出るのを阻止するので、樹脂塊１２をシート部材から取れにくくすることができる。これにより、プッシュスイッチ１の長寿命化および信頼性の向上に貢献できる。
【００３７】
可動接点付きシート２０およびプッシュスイッチ１において、係合手段１４は、充填部１１の内面に形成されて充填部１１の凹み方向に交差する方向に凹んだ溝１４ａと、樹脂塊１２の鍔状部１４ｂとから成っている。つまり、樹脂塊１２に充填部１１から抜け出る方向の力が作用したとき、充填部１１内面の溝１４ａと、この溝１４ａ内に位置する鍔状部１４ｂとが引っ掛かることになり、これによって充填部１１から樹脂塊１２が抜け出るのを阻止できる。
【００３８】
可動接点付きシート２０およびプッシュスイッチ１において、溝１４ａの位置は開口部１１ｃの縁１１ｄと底部１１ｂとの間の位置に設定されている。つまり、可動接点５に対する突起部１０の接触面積を広げることなく係合手段１４を設けることができ、係合手段１４を設けたことに伴ってクリック感触が鈍くなることを防止できる。
【００３９】
可動接点付きシート２０およびプッシュスイッチ１において、充填部１１の周囲に位置するシート部材７の部分と、頂部の周囲に位置する可動接点５の部分との間には、空隙１３が形成されている。これにより、可動接点５が中央固定接点３の方向に凹んだ反転状態からドーム状に復元する際、シート部材７が突っ張って可動接点５の円滑な復元の妨げになることを防止できる。
【符号の説明】
【００４０】
１  プッシュスイッチ
２  基板
３  中央固定接点
４  環状固定接点
５  可動接点
５ａ  皿状部
５ｂ  環状部
６  スペーサ部材
６ａ  粘着層
７  シート部材
７ａ  粘着層
８  傾斜部
９  ライトガイド部材
１０  突起部
１１  充填部
１１ａ  内側面
１１ｂ  底部
１１ｃ  開口部
１１ｄ  縁
１２  樹脂塊
１３  空隙
１４  係合手段
１４ａ  溝
１４ｂ  鍔状部
１５  光放射領域
１６  キー
１６ａ  押し子
２０  可動接点付きシート
２１  保護シート部材
【図１】
2010257600.tif 000003
【図２】
2010257600.tif 000004
【図３】
2010257600.tif 000005
【図４】
2010257600.tif 000006